(57)【特許請求の範囲】
【請求項１】
元錠（３）の右側上面に施錠掛角（１３）及び右側下面に施錠掛角（１３）を左側上面に解錠掛角（１４）及び左側下面に解錠掛角（１４）を形成、側面に角穴（１５）を貫設し正面右側に段差面（１６）を形成、角穴（１５）の右側縁にカム当軸孔（１７）を孔設し、また元錠（３）の左側面の所定位置に原動バネ穴（１８）を配設し、角穴（１５）にカム当盤（２５）を定置し、カム当軸孔（１７）に伸縮バネ（２６）を挿入したカム当軸（２３）を貫入し一端をカム当盤（２５）に固結、元錠（３）の右側面の所定位置に複数の案内軸バネ（２）を配設し一端を固着、カム当軸孔（１７）及び案内軸孔（１９）を配設した中錠（４）を案内軸孔（１９）で案内軸バネ（２）の他端から装入すると共にカム当軸孔（１７）をカム当軸（２３）に装入し他端をカム当軸孔（１７）に固結、次にガイドパイプ（２４）を固着し伸縮バネ（２６）を挿入した掛留金（５）を案内軸バネ（２）に装入し中錠（４）の案内軸孔（１９）を貫通、ガイドパイプ（２４）左端を中錠（４）の左端に突出、元錠（３）及び中錠（４）及び掛留金（５）を連接し各間隙所定幅にし、一方、丸筒掛止爪（６）の中腹に貫設した制動孔（７）と左端を施解錠口（３０）にし、右端をせり出し重合上下一対をリングバネ（３１）で連結した丸筒掛止爪（６）内面に左丸太軸（３６）を装入し、連接した元錠（３）及び中錠（４）及び掛留金（５）を、元錠（３）から丸筒掛止爪（６）の制動孔（７）に貫入したところでレバ−カム（３９）を固結した手動レバ−（１２）のレバ−カム（３９）とカム当盤（２５）を係合定置にしレバ−カム（３９）の上面と元錠（３）の角穴（１５）の間にカムバネ（４０）を挿入したうえ左丸太軸（３６）を貫通し軸一端を基板軸受（３８）で支持し、右丸太軸（３７）を手動レバ−軸（３５）の他端から装入し左丸太軸（３６）との間隙に元錠（３）を挟持し手動レバ−軸（３５）の他端に手動レバ−（１２）を付着し、左丸太軸（３６）を基板軸受（３８）に装着溝（４１）で嵌込み丸筒掛止爪（６）の支軸にし左丸太軸（３６）下端の障害軸孔（４２）に障害軸（４３）を装入、元錠（３）の下端の機軸穴（５１）にも非常防止鍵（５２）を装入し、障害軸孔（４２）の孔内で障害丸軸（５４）先端と非常防止鍵（５２）先端が当接し、ついで丸筒掛止爪（６）の制動孔（７）内の最上段丸筒（６）及び最下段丸筒（６）の制動孔（７）の孔口左上下端縁を解掛止爪（７０）にし、二段目丸筒（６）及び三段目丸筒（６）の制動孔（７）の右上下端縁を掛止爪（３２）にし、丸筒掛止爪（６）の施解錠口（３０）の内側両端の最上段丸筒（６）の右側端及び最下段丸筒（６）の左側端を解錠設定爪（３３）に二段目丸筒（６）の左側端縁と三段目丸筒（６）の右側端縁を施錠設定爪（３４）に、さらに最上段丸筒（６）及び三段目丸筒（６）は右微回動し、二段目丸筒（６）及び最下段丸筒（６）は左微回動し、最上段丸筒（６）の解掛止爪（７０）は元錠（３）左上の解錠掛角（１４）に係合し、最下段丸筒（６）の解掛止爪（７０）は元錠（３）左下の解錠掛角（１４）に係合し、二段目丸筒（６）及び三段目丸筒（６）の掛止爪（３２）を元錠（３）の右上下の施錠掛角（１３）に各々係合し、又、かんぬき盤（８）をかんぬき溝（２８）に装入し掛留金（５）の摺動先端（２７）を並列遮蔽するかんぬき盤（８）の支点芯軸（４５）で付着する連動かん（９）の連動元端（４６）を拡張バネ溝（４４）の拡張バネ（４７）で抑圧し、連動先端（４８）を丸筒掛止爪（６）の制動孔（７）右側の最上段丸筒（６）の解掛止爪（７０）に挿入係合すると共に押込掛角（４９）を中錠（４）の押出ピン（２２）と係合、ついで基板軸受（３８）に付着する防護板（５６）に障害突起（５７）と案内溝（５８と障害軸口（５９）を配設し、防護板（５６）と対象対面にする防護フレ−ム（５５）の案内溝（５８）と符丁突起（６１）を配設する符丁盤（６０）との間を旋解錠室（６２）にし、別体になる立体型鍵（１０）に丸筒掛止爪（６）の施解錠口（３０）と係合する双曲縁（６５）を右側面に形成、左側面に符丁突起（６１）と合致する雄符丁突起（６３）及び右側面縦軸に沿い導通溝（６４）を刻設した立体型鍵（１０）ををかぎ穴（１１）から旋解錠室（６２）に装入し筒掛止爪（６）の施解錠口（３０）に装着し旋解錠機能するようにした立体型鍵錠。
【発明の詳細な説明】
【技術分野】
【０００１】
本発明は建物及び部屋の出入口に取り付ける戸扉に設置する施錠装置である。
【背景技術】
【０００２】
建物及び部屋の出入口に戸扉を取り付け、居住者以外の他者の入出を塞ぐ為の戸扉に設置する通常丸ハンドル平型鍵錠は、丸ハンドル円形正面中心にかぎ穴があり戸閉の際、かぎ穴に平型鍵を装入し丸ハンドル本体内部に組込む掛留金作動機構を平型鍵で操作し掛留金を作動、戸扉を蝶番で片持ちし出入口の周縁に固結した外枠材に配設した掛留穴に掛留金を引っ掛け戸締まり不動（施錠）にし、かぎ穴から平型鍵を引き抜く、次ぎに施錠戸扉の開扉（解錠）は、先に丸ハンドルかぎ穴に挿入したのと同一平型鍵をかぎ穴に挿入し、掛留金作動機構を操作し、戸扉外枠の掛留穴に引っ掛けた掛留金を引っ込め掛留金作動機構内に納め戸扉自由開閉にしたうえ、かぎ穴から平型鍵を引き抜く、また厳重戸締りにはかんぬきを併用することもある。
【発明の開示】
【発明が解決しようとする課題】
【０００３】
平型鍵錠は多種類あるが平型鍵と鍵錠本体は二個一対で基本的構造及び機能と取扱いは同様で、一種類の平型鍵で施錠解錠できる鍵錠本体は一対に組合はした鍵錠本体に限定するが真正平型鍵の模倣複製で他者による異状解錠開扉が行なわれる事もあり、又かぎ穴の設定が前方空間が広い戸扉正面側水平方向に位置し人物が直立自然姿勢で平型鍵を挿入できる為に真正平型鍵による解錠開扉以外に不正器物による異常解錠戸扉開放もあり得る。
【０００４】
本発明は平型鍵にかえ固形立体型鍵を精密構造と成して容易な模倣複製を防止、また掛留金に、かんぬき効果部材を付加し、さらに下面方向から立体型鍵を挿入するようにかぎ穴位置を手狭になる丸ハンドル下部側垂直方向軸に設定し、かぎ穴の直視及び不正器具物類の挿入を仕難くし、戸扉異常解錠開放防止の目的を果たす。
【課題を解決するための手段】
【０００５】
図１・図３及び図４に示す立体型鍵錠本体は元錠に案内軸バネを固定しカム当軸を元錠の角穴に装着し丸筒掛止爪の所定位置にある制動孔に貫入し案内軸バネとカム当軸に中錠を案内軸バネに掛留金を各々挿入連接し丸筒掛止爪の動作を元錠に次いで中錠及び掛留金に伝導し、掛留金の摺動先端及びかんぬき盤を戸扉外枠の掛留穴に引っ掛けて戸締まりをし、また立体型鍵錠の旋解錠に係はらず屋内から手動レバ−を操作し掛留金に連動し掛留金の摺動先端及びかんぬき盤を掛留穴に引っ掛けてかんぬき効果を発揮し戸締開閉する。
【０００６】
図３に示す掛留金に配設する連動かんは連動元端を拡張バネで抑圧しかんぬき盤に付着する支点芯軸を支点に連動先端を持ち上げ押込掛角を中錠の押出ピンに係合し連動先端を丸筒掛止爪の制動孔に装入する。
【０００７】
図４及び図５に示す丸筒掛止爪は一端を施解錠口に他端を段階状にせり出し上下一対をリングバネで連結し作動復元力にし、丸筒掛止爪の制動孔には各々所定位置に掛止爪及び解掛止爪を配設し元錠の施錠掛角には掛止爪を解錠掛角には解掛止爪を、また連動かんの連動先端には解掛止爪を各々係り合はし、立体型鍵錠本体を旋解錠機能態勢に設定する。
【０００８】
図６に示す手動レバ−軸は右丸太軸に貫入し元錠の角穴と直交し手動レバ−軸のレバ−カムをカム当盤及びカム当軸に係合し元錠を右丸太軸と左丸太軸の間に挟持し左丸太軸を貫通し一端を基板軸受で支持し他端に手動レバ−を付着する。
【０００９】
図８に示す左丸太軸及び右丸太軸は丸筒掛止爪の支軸になり、左丸太軸の一端を手動レバ−軸の一端と共に基板軸受に嵌め込み支持し、左丸太軸の下端縁の障害軸孔に障害軸を挿入し障害軸孔内で往復摺動し障害軸頭を旋解錠室及び案内溝に突き出す。
【００１０】
図８の障害軸と同軸心の元錠下端縁の機軸穴に非常防止鍵（ストッパ−）を内臓する。
【００１１】
図２６及び図２７に示す非常防止鍵は障害軸の障害丸軸と共に異常動作に即応し元錠と左丸太軸との境界当接面に跨がり張り出し元錠の動作を留どめ解錠を阻止する。
【００１２】
図１０に示すように基板軸受は障害突起及び障害軸口を設けた防護板を付着し、防護板と防護フレ−ム及び符丁盤との間隙に立体型鍵を挿入する旋解錠室を設定し、防護フレ−ム及び符丁盤は符丁突起及び案内溝を設け防護板と対象対面にする。
【００１３】
防護フレ−ム及び立体型鍵錠本体に器械カバ−を被せ、下面側にかぎ穴を設け開閉ア−トハンドル及び戸扉取付金具を付した外装化粧カバ−を装着する。
【００１４】
図１１に示す別体の立体型鍵は、丸筒掛止爪の旋解錠口の解錠設定爪及び施錠設定爪と係合する双曲縁と、障害軸の障害軸頭を避ける導通溝を形成し立体型鍵錠を旋解錠する。
【００１５】
以上、手段を講じた立体型鍵錠本体を図２に示すように戸扉所定位置に設置、立体型鍵をかぎ穴から施解錠室ついで施解錠口に装着操作し旋解錠態勢を設定し戸締開扉する。
【００１６】
手動レバ−を屋内から操作し手動レバ−軸を作動し解錠した戸扉を内在者が戸締め旋解し、或るいわ屋外室外から旋錠した戸扉を内在者が解錠することができる。
【００１７】
不正器具物類をかぎ穴から挿入の際は旋解錠室に於いては障害軸の障害丸軸及び非常防止鍵で施解錠口では符丁突起及び障害突起或いわ障害丸軸で妨害し戸扉開放を阻止する。
【００１８】
立体型鍵錠は、かんぬき機構を付加し戸締まりに単独で供用できる。
【００１９】
立体型鍵錠はかぎ穴が下面方向に位置し不正施解錠行動に制約を与える。
【００２０】
立体型鍵錠は不正器具物類で戸扉解錠開放を障害軸及び符丁突起で障害突起で防止し、さらに非常防止鍵（隠しストッパ−）で施錠破壊戸扉開放を阻止する。
【発明を実施するための最良の形態】
【００２１】
図３及び図４に於いて、立体型鍵錠１本体の元錠３に案内軸バネ２及びカム当軸２３を配設し中錠４を装入し、掛留金５は案内軸バネ２に装入し連接する。
【００２２】
図３及び図４に示す元錠３は右側上面に施錠掛角１３及び右側下面にも施錠掛角１３を形成、また左側上面に解錠掛角１４及び左側下面にも解錠掛角１４を形成し、側面に角穴１５を貫設し正面右側に段差面１６を形成し、角穴１５内の右側縁からカム当軸孔１７を孔設、元錠３左側縁の所定位置に原動バネ穴１８を穿設し、ついで角穴１５内にカム当盤２５を定置してカム当軸孔１７の元錠３の孔口からカム当軸２３を挿入し一端をカム当盤２５に固着し、元錠３の右側面所定位置に複数の案内軸バネ２を配設し一端を固着する。
【００２３】
図４に示す中錠４の上下に元錠３に配設した案内軸バネ２の間隔同一に、ガイドパイプ２４の外径同等内径の案内軸孔１９を貫設し中間に伸縮バネ２６の外径同等内径及び孔奥行端に小ねじ穴を設けたカム当軸穴２０を孔設し、図５に示すように中錠４の左端を段差突出し元錠３の段差面１６と段差重複する段差面２１を形成し正面側所定位置に押出ピン２２を付設、先ずカム当軸２３に伸縮バネ２６を挿入し、中錠４を案内軸孔１９で案内軸バネ２に挿入すると共に伸縮バネ２６を被装したカム当軸２３にカム当軸穴２０で装入しカム当盤２５に一端を固結しカム当軸２３の他端をカム当軸穴２０の小ねじに固結し中錠４を所定位置に装着する。
【００２４】
図３・図４及び図５に示す掛留金５の右端を摺動先端２７にし正面側をかんぬき溝２８に形成し左側面上下に元錠３及び中錠４の案内軸バネ２の配設同位置にガイドパイプ２４の外径同等内径の案内軸バネ穴２９を穿設、同バネ穴２９に案内軸バネ２外形同等内径のガイドパイプ２４を嵌入しついでガイドパイプ２４の筒内に伸縮バネ２６を装入した掛留金５を、ガイドパイプ２４で案内軸バネ２に挿入し、ガイドパイプ２４の外径同等内径の中錠４の案内軸孔１９を貫通し中錠４左端に突出し、案内軸バネ２を主軸にして元錠３及び中錠４及び掛留金５を連接し各々所定間隔幅にしたうえ、元錠３を丸筒掛止爪６の制動孔７に貫入する。
【００２５】
図５・図６及び図７に示す丸筒掛止爪６は複数の円筒を重合し、一端は施解錠口３０に他端を階段状にせり出し上下一対をリングバネ３１で連結し、筒中複を横軸に制動孔７を貫設し図３及び図４に示す最上段丸筒６及び最下段丸筒６の制動孔７の孔口縁左上下端縁を解掛止爪７０に、二段目丸筒６及び三段目丸筒６の制動孔７の右上下端縁を掛止爪３２にし、また図５及び図８に示す施解錠口３０内の両端縁の最上段丸筒６の右側端及び最下段丸筒６の左側端を解錠設定爪３３にし、二段目丸筒６左側端及び三段目丸筒６の右側端を施錠設定爪３４にし、また最上段丸筒６及び三段目丸筒６は右微回動、二段目丸筒６及び最下段丸筒６は左微回動に可動し、制動孔７に挿入した元錠３の右上下施錠掛角１３に掛止爪３２を元錠３の左上下解錠掛角１４には解掛止爪７０を各々係合、又リングバネ３１は重合した丸筒掛止爪６上下を相互に引合い、次いで手動レバ−軸３５を装着する。
【００２６】
図４・図５及び図６に示すように手動レバ−軸３５は、軸中央にレバ−カム３９を固着し、丸筒掛止爪６内にあらかじめ装入した丸形状の左丸太軸３６の中心孔に挿入しレバ−カム３９を元錠３の角穴１５内に定置し先に配置したカム当盤２５に係り合わし、レバ−カム３９の上面と角穴１５の内縁間にカムバネ４０を挿着しレバ−カム３９の動作に反発力を与えておき手動レバ−軸３５の他端から右丸太軸３７を挿入し、左丸太軸３６と右丸太軸３７の間隙に元錠３を挟持し丸筒掛止爪６の支持軸にしたうえ他端に手動レバ−１２を付着、、左丸太軸３６は装着溝４１で手動レバ−軸３５の先端と共に基板軸受３８に嵌め込み不動にし、左丸太軸３６の下端に障害軸孔４２を貫設し障害軸４３を装入する。
【００２７】
図３・図５及び図６に示すかんぬき盤８は掛留金５のかんぬき溝２８に装入し正面側の両端を凹形台座状の拡張バネ溝４４に形成、右先端をかんぬき盤、左端に連動かん９を支点芯軸４５で付着、折りこんだ連動元端４６を拡張バネ溝４４に装入した拡張バネ４７で抑圧し連動先端４８を持上げ丸筒掛止爪６の制動孔７に挿入し解掛止爪７０と係合すると共に押込掛角４９を中錠４の押出ピン２２と係合、また拡張バネ４７の他端を器械カバ−５０に当接し伸張力でかんぬき盤８を掛留金５のかんぬき溝２８内で左方向側え突張る。
【００２８】
図８に示すように左丸太軸３６の下端に障害軸孔４２を貫設し障害軸４３を装入、障害軸孔４２の同一軸心の元錠３の下端縁の機軸穴５１に非常防止鍵５２を装入する。
【００２９】
図８に示す障害軸４３は障害軸頭５３の下面を円滑面に、一端を障害丸軸５４にし障害軸孔４２に伸縮バネ２６を装入し、障害軸４３を障害丸軸５４から障害軸孔４２に装入し障害軸頭５３を障害軸孔４２の孔口から旋解錠室６２に突出し符丁盤６０の案内溝５８に差し入れ、また非常防止鍵５２も機軸穴５１内の伸縮バネ２６で左丸太軸３６と元錠３との当接側面境界を越えて障害軸孔４２に進入し非常防止鍵５２先端と障害丸軸５４先端が衝き合う旋解錠機能態勢（ドライブモ−ド）に係り合う。
【００３０】
図８・図９及び図１０に示す基板軸受３８は防護フレ−ム５５に接続し、基板軸受３８に付着する防護板５６の縦軸中心に障害突起５７及び案内溝５８及び障害軸口５９を配設し防護板５６の縦軸中心位置と対面する防護フレ−ム５５及び符丁盤６０の縦軸中心位置にも符丁突起６１及び案内溝５８を付着し、防護板５６及び符丁盤６０との間隙を旋解錠室６２に設定、丸筒掛止爪６及び施解錠口３０の縦軸中心と旋解錠室６２縦軸中心は合致し、後述する立体型鍵１０を装入着し旋解錠機能態勢を設定する。
【００３１】
図１０・図１１及び図１３に示す別体の立体型鍵１０は丸筒掛止爪６の施解錠口３０の解錠設定爪３３及び施錠設定爪３４と係り合う双曲縁６５を右側面先端縁に形成し、機能位置を確定する左側面先端縁に符丁盤６０の符丁突起６１と雌雄合致する雄符丁突起６３を、又障害軸４３の障害軸頭５３を一旦避ける導通溝６４を右側面縦軸中心に刻設する。
【００３２】
立体型鍵１０を立体型鍵錠１に挿入し押し込み装着し、障害軸４３を障害軸孔４２内に障害丸軸５４の先頭と非常防止鍵５２の先頭の当接面を左丸太軸３６と元錠３の境界面と一致にし元錠３を可動に、また雄符丁突起６３と符丁突起６１は雌雄合致形成する。
【００３３】
以上、立体型鍵錠１は構成し、かぎ穴１１を設け開閉ア−トハンドル６６及び戸扉取付金具６７を付した外装化粧カバ−６８を装入したうえ施錠係合態勢にする。
【００３４】
図４・図８及び図１０に示すように係合設定は旋錠機能態勢（ロックモ−ド）を基本にし、原動バネ管６９に伸縮バネ２６を挿入し器械カバ−５０の左端の所定穴から元錠３の原動バネ穴１８に装入し、原動バネ管６９は器械カバ−５０に固結、元錠３を右方向側え押圧する常態にしておき、また元錠３の機軸穴５１孔内の非常防止鍵５２を左丸太軸３６の障害軸孔４２に進入状態が元錠３の旋錠態勢所定位置になる。
【００３５】
図３及び図４に示すように、丸筒掛止爪６の制動孔７の掛止爪３２及び解掛止爪７０を機能設定する。最上段丸筒６の解掛止爪７０を元錠３の左側上面の解錠掛角１４及び最下段丸筒６の解掛止爪７０を元錠３の左側下面の解錠掛角１４に、二段目丸筒６の掛止爪３２を元錠３の右側上面の施錠掛角１３に三段目丸筒６の掛止爪３２を元錠３の右側下面の施錠掛角１３に係り合わす。
【００３６】
上記、最上段丸筒６の解掛止爪７０は元錠３の左側上面の解錠掛角１４の左方に係合し最下段丸筒６の解掛止爪７０は元錠３の左側下面の解錠掛角１４の下平面に係合、又制動孔７に挿入した連動先端４８に最上段丸筒６の制動孔７右側の解掛止爪７０を係り合う。
【００３７】
図２・図６及び図１８に示す掛留金５の摺動先端２７は器械カバ−５０の右端縁外に突き出し案内軸バネ２で右方向側極限に圧迫、旋錠設定の際は、かんぬき盤８の先端が掛留金５の摺動先端２７と並列一致不動にし、戸扉外枠７１の掛留穴７２との直接摺動を遮断（カバ−する）し、極先端余裕は解錠の際には自由動作（フリ−３遊び）をする。
【００３８】
図３及び図４に示すように中錠４の旋錠態勢は、押出ピン２２と連動かん９の押込掛角４９との係り合い及び元錠３の角穴１５内の手動レバ−軸３５のレバ−カム３９とカム当盤２５及びカム当軸２３及び中錠４の従動係合状態が旋錠又は解錠態勢になる。
【００３９】
なお、元錠３及び中錠４及び掛留金５の間隔幅合計は、掛留金５の片道行程幅に同等で元錠３と中錠４の間隔は旋解錠行程幅、中錠４と掛留金５の間隔幅は遊び幅である。
【００４０】
図２・３に示すように立体型鍵錠１本体を戸扉所定位置に設置のうえ閉じめし掛留金５の摺動先端２７を戸扉外枠７１の掛留穴７２に引っ掛けておく。
【００４１】
図１０・１２・１３に示す屋外或いは室外から立体型鍵１０を外装化粧カバ−６８のかぎ穴１１から旋解錠室６２に挿入、障害軸頭５３を符丁盤６０に当着し旋解錠室６２を閉塞する障害軸４３及び障害軸頭５３に導通溝６４先端が当接し、障害軸孔４３を押し除け通行する、障害軸４３は導通溝６４の深浅形状に従って一旦障害軸孔４２内の非常防止鍵５２を機軸穴５１に押し戻し障害丸軸５４も機軸穴５１内に進入後に復帰し、導通溝６４の最深所定位置に障害軸４３が定置する。
【００４２】
図１２に示す、上記障害軸４３及び障害丸軸５４先端と非常防止鍵５２先端との接触面は元錠３側縁と左丸太軸３６側縁との境界面と一致し元錠３は可動となる。
【００４３】
図１３示す立体型鍵１０の導通溝６４は丸筒掛止爪６の施解錠口３０に進入直前に案内溝５８及び障害突起５７と合致し通過、符丁盤６０及び符丁突起６１と立体型鍵１０の雄符丁突起６３とも合致し施解錠口３０に挿入し装着する。
【００４４】
図３・１４に示す施解錠口３０の立体型鍵１０の双曲縁６５を解錠設定爪３３及び施錠設定爪３４に係合押圧し、二段目丸筒６の施錠設定爪３４を左微回動し掛止爪３２を元錠３上右の施錠掛角１３から、三段目丸筒６の施錠設定爪３４は右微回動して掛止爪３２を元錠３下右の施錠掛角１３から各々離脱、最上段丸筒６の解錠設定爪３３は右微回動し解掛止爪７０を元錠３上左の解錠掛角１４左から離脱し、同時に制動孔７に挿入する連動先端４８を解掛止爪７０で押し下げ押出ピン２２と押込掛角４９との係合解除するが、最下段丸６筒の解錠設定爪３３には双曲縁６５は係合しない。
【００４５】
図１４・１５に示す押出ピン２２と押込掛角４９との係合解除で、掛留金５を遮蔽する連動かん９及びかんぬき盤８は左方向側え作動し掛留金５は可動になる。
【００４６】
図１４・１５に示すように立体型鍵１０を装着し解錠した戸扉を開放すれば、掛留金５の摺動先端２７は戸扉外枠７１及び掛留穴７２を滑動し飛越え一旦左方向え押し込まれ、戸扉開放直後に再度元位置に突出する。この際の極短時間往復行程動作が動力になり、立体型鍵錠１本体の構成要素が作動をする。
【００４７】
図１５・１６に示すように掛留金５は左方向え作動し、先ず掛留金５左端面を中錠４右端面に当接すると同時にガイドパイプ２４右端を元錠３右端面に当接し元錠３及び中錠４の所定連接間隔を保持しながら左方向え作動する。
【００４８】
図１４・１５・１６に示す，掛留金５の作動片道行程幅を１０とすれば、掛留金５をかんぬき盤８の遮蔽行程幅は６、掛留金５の摺動先端２７の極端の遊動行程は４となる。
【００４９】
図１７・１８に示すように元錠３及び中錠４の左方向側に到達した際、中錠４及び押出ピン２２と連動かん９及び押込掛角４９が再度に係り合いすると共に、中錠４及びカム当軸２３及びカム当盤２５の元錠３の角穴１５内で係合するレバ−カム３９を左方向に作動し手動レバ−軸３５の手動レバ−１２の水平方向を左斜上方向に回動する。
【００５０】
図１７に示す元錠３及び中錠４の左方向側の極端に到達した際、元錠３下左の解錠掛角１４の平面に圧接する最下段丸筒６の解錠設定爪３３及び解掛止爪７０がはまり込み係合し、元錠３の原動バネ穴１８に装入する原動パネ管６９の右方向側えの押圧力による反転を留どめ、又最下段丸筒６の解錠設定爪３３は施解錠口３０に突出する。
【００５１】
図３に示すように施解錠口３０に突出する最下段丸筒６の解錠設定爪３３は施錠中は施解錠３０に他の丸筒の施解錠設定爪と同等にし突出せず控えめに定置、施錠の際は立体型鍵１０と係り合はないようにし、解錠の際に立体型鍵１０の双曲縁６５と二段階に係合するように設定、施錠の際に元錠３下端の解錠掛角１４及び解掛止爪７０は係合解除したところで立体型鍵１０を引き抜き戸扉開放を行う。
【００５２】
図１６に示す、開扉で掛留金５及び元錠３及び中錠４の左方向作動で図１７は押出ピン２２に連動かん９と押込掛角４９が再係合し元錠３左下及び解錠掛角１４に最下段丸筒６及び解掛止爪７０が係合し元錠３及び中錠４を掛け留め、掛留金５は独自に元位置に復帰し、図１７・１８は元錠３右上下端の施錠掛角１３の平面が二段目丸筒６及び三段目丸筒６の掛止爪３２先端を受持ち最上段丸筒６の解掛止爪７０右方にある元錠３上左端の解錠掛角１４に解掛止爪７０が係合し元錠３及び中錠４を拘束し掛留金５は自由動作をする。
【００５３】
図２０に示す内在者が外出する際、解錠戸扉を屋外または室外から施錠する。立体型鍵１０をかぎ穴１１から挿入し施解錠口３０に装入係合すれば、最上段丸筒６の解錠設定爪３３及び解掛止爪７０が元錠３上左端の解錠掛角１４から、二段目丸筒６及び三段目丸筒６の施錠設定爪３４及び掛止爪３２は元錠３右上下端の施錠掛角１３を離脱する。
【００５４】
図２０・２１に示すように、続いて立体型鍵１０を一層押し込めば双曲縁６５の根本が最下段丸筒６の解錠設定爪３３及び解掛止爪７０を圧迫係合し、元錠３下左端の解錠掛角１４から離脱、元錠３及び中錠４は解錠拘束を解除し、原動バネ穴１８の右方向側押圧力で元錠３及び中錠４は右方向側極限に突出する。
【００５５】
図２１・３に示す元錠３及び中錠４の突出により元錠３右上下端の施錠掛角１３は掛止爪３２の真下の係合位置に、元錠３上左端の解錠掛角１４は解掛止爪７０右方に位置し、元錠３下左端の解錠掛角１４は平面を解掛止爪７０先端位置に各々定置、同時に中錠４及び押出ピン２２と係合する押込掛角４９で連動かん９及びかんぬき盤８も右方向側え作動し掛留金５に並列遮蔽し、掛留金５を戸扉外枠７１の掛留穴７２に掛け留どめ、また元錠３の角穴１５内にあるレバ−カム３９に係合するカム当盤２５及びカム当軸２３も元位置に復帰、戸締めを確認したうえ立体型鍵１０を引き抜けば、二段目丸筒６及び三段目丸筒６の掛止爪３２は元錠３右上下端の施錠掛角１３に係合し、最上段丸筒６の解掛止爪７０は元錠３上左端の解錠掛角１４左方に、最下段丸筒６の解掛止爪７０は元錠３左下端の解錠掛角１４の平面に当接することにより施錠となる。
【００５６】
図２４に示すように、立体型鍵１０で施錠した立体型鍵錠１を内在者が解錠する場合は手動レバ−１２を操作し手動レバ−軸３５を回動し元錠３の角穴１５内のレバ−カム３９に当接するカム当盤２５及びカム当軸２３を左方向え作動、連動かん９及びかんぬき盤８を伴う中錠４も左方向側え移動、この際、元錠３は掛止爪３２で拘束し不動、元錠３の段差面１６に中錠４の段差面２１が重複し元錠３右端と中錠４左端が当接、中錠４右端と掛留金５左端との間隔が拡幅し、かんぬき盤８は掛留金５の遮蔽解除し掛留金５は自由動し戸扉を自由開閉する。
【００５７】
図２５に示すように、立体型鍵１０で解錠した立体型鍵錠１を内在者が施錠する場合は手動レバ−１２を操作し手動レバ−軸３５を回動し元錠３の角穴１５内のレバ−カム３９に当接するカム当盤２５及びカム当軸２３を右方向え作動し、連動かん９及びかんぬき盤８を伴う中錠４も右方向え移動し掛留金５右端との間隔縮小すると共にかんぬき盤８を掛留金５に並列遮蔽し施錠戸閉めする。
【００５８】
図１１に示す立体型鍵１０の雄符丁突起６３と符丁突起６１との合符形状及び障害突起５７及び案内溝５８と立体型鍵１０及び導通溝６４との内外形状を多種類にわたり設定する事で立体型鍵１０の別途或いは変造立体型鍵の装入を防止する。
【００５９】
図２６は不正器具物類７３の立体型鍵錠１の旋解錠室６２に装入の際、障害軸４３及び障害突起５７の符丁突起６１によって施解錠口３０えの装着を妨害し、さらに障害軸４３の不定作動により障害丸軸５４を機軸穴５１に進入或いは非常防止鍵５２を障害軸孔４２に進入、元錠３及び中錠４及び掛留金５の作動を防止する。
【００６０】
図２７に示す障害軸４３の先端等損壊せられた場合、障害軸４３が伸縮バネ２６により施解錠室６２の方向側え突出すれば非常防止鍵５２が障害軸孔４２に一層進入し、元錠３及び中錠４及び掛留金５の左方向側えの作動を掛け留め解錠を阻止をする。
【産業上の利用可能性】
【００６１】
立体型鍵錠は特別な製造方法によることなく量産的でコスト低減に適応する。
【００６２】
立体型鍵錠は部屋住居及び建築物等の必需品になる。
【００６３】
立体型鍵錠は不正模倣複製を容易にできない。
【図面の簡単な説明】
【００６４】
【図１】立面図  立体型鍵錠の一部省略要部縦断全体斜視図である。
【図２】立面図  立体型鍵錠の戸扉設置及び立体型鍵の装着方向の図示実施例図。
【図３】正面図  立体型鍵錠の図６Ａ−Ａ線に沿う正面側の施錠状態要部縦切断図。
【図４】正面図  立体型鍵錠の図３に基ずく施錠状態図示の要部縦切断構成図。
【図５】平面図  立体型鍵錠の図３Ｂ−Ｂ線に沿う上面側の一部省略要部縦切断図。
【図６】平面図  立体型鍵錠全本体上面側の要部縦切断基本構成図である。
【図７】立面図  立体型鍵錠の図１に基ずく背面側の全体斜視図である。
【図８】右側面図  立体型鍵錠の図６Ｃ−Ｃ線に沿う一部省略要部縦切断図。
【図９】立面図  立体型鍵錠の図１に基ずく一部省略要部縦切断全体斜視図。
【図１０】右側面  立体型鍵錠本体中心軸の一部省略要部縦切断構成図。
【図１１】三面図  立体型鍵の左側面と正面（背面対象）及び平面と右側面外形図。
【図１２】平面図  立体型鍵錠の図６に基ずく上面側の一部省略要部縦切断構成図。
【図１３】右側面図  立体型鍵錠の図８に基ずく立体型鍵の装着実施例図。
【図１４】正面図  立体型鍵錠の図３に基ずく解錠前の状態実施例図。
【図１５】正面図  立体型鍵錠の図１４に立体型鍵を装着初期の解錠実施例図。
【図１６】正面図  立体型鍵錠の図１５に続く立体型鍵を挿着の解錠連続実施例図。
【図１７】正面図  立体型鍵錠の図１６に続く立体型鍵を挿着の解錠連続実施例図。
【図１８】正面図  立体型鍵錠の図１７に続く立体型鍵を挿着の解錠連続実施例図。
【図１９】正面図  立体型鍵錠の図１８に続く立体型鍵を挿着の解錠連続実施例図。
【図２０】正面図  立体型鍵錠の図１９に続く立体型鍵を挿着で解錠した実施例図。
【図２１】正面図  立体型鍵錠の図２０で解錠した屋室外より立体型鍵を挿着し施錠の実施例図である。
【図２２】正面図  立体型鍵錠の図２１に続く立体型鍵を挿着し施錠連続実施例図。
【図２３】正面図  立体型鍵錠の図２２に続く立体型鍵を挿着し施錠した実施例図。
【図２４】正面図  立体型鍵錠の図２３の施錠を内在者手動レバー解錠の実施例図。
【図２５】正面図  立体型鍵錠の図２０の解錠を内在者手動レバー施錠の実施例図。
【図２６】右側面図  立体型鍵錠の図８に基ずく不正器具物類挿入の防止実施例図。
【図２７】右側面図  立体型鍵錠の図８に基ずく不正器具物類侵入を阻止実施例図。
【符号の説明】
【００６５】
１    立体型鍵錠
２    案内軸バネ
３    元錠
４    中錠
５    掛留金
６    丸筒掛止爪
７    制動孔
８    かんぬき盤
９    連動かん
１０  立体型鍵
１１  かぎ穴
１２  手動レバ−
１３  施錠掛角
１４  解錠掛角
１５  角穴
１６  段差面
１７  カム当軸孔
１８  原動バネ穴
１９  案内軸孔
２０  カム当軸穴
２１  段差面
２２  押出ピン
２３  カム当軸
２４  ガイドパイプ
２５  カム当盤
２６  伸縮バネ
２７  摺動先端
２８  かんぬき溝
２９  案内軸バネ穴
３０  施解錠口
３１  リングバネ
３２  掛止爪
３３  解錠設定爪
３４  施錠設定爪
３５  手動レバ−軸
３６  左丸太軸
３７  右丸太軸
３８  基板軸受
３９  レバ−カム
４０  カムバネ
４１  装着溝
４２  障害軸孔
４３  障害軸
４４  拡張バネ溝
４５  支点芯軸
４６  連動元端
４７  拡張バネ
４８  連動先端
４９  押込掛角
５０  器械カバ−
５１  機軸穴
５２  非常防止鍵
５３  障害軸頭
５４  障害丸軸
５５  防護フレ−ム
５６  防護板
５７  障害突起
５８  案内溝
５９  障害軸口
６０  符丁盤
６１  符丁突起
６２  施解錠室
６３  雄符丁突起
６４  導通溝
６５  双曲縁
６６  開閉ア−トハンドル
６７  戸扉取付金具
６８  外装化粧カバ−
６９  原動バネ管
７０  解掛止爪
７１  戸扉外枠
７２  掛留穴
７３  不正器具物類
【図１】
0004006692.tif 000002
【図２】
0004006692.tif 000003
【図３】
0004006692.tif 000004
【図４】
0004006692.tif 000005
【図５】
0004006692.tif 000006
【図６】
0004006692.tif 000007
【図７】
0004006692.tif 000008
【図８】
0004006692.tif 000009
【図９】
0004006692.tif 000010
【図１０】
0004006692.tif 000011
【図１１】
0004006692.tif 000012
【図１２】
0004006692.tif 000013
【図１３】
0004006692.tif 000014
【図１４】
0004006692.tif 000015
【図１５】
0004006692.tif 000016
【図１６】
0004006692.tif 000017
【図１７】
0004006692.tif 000018
【図１８】
0004006692.tif 000019
【図１９】
0004006692.tif 000020
【図２０】
0004006692.tif 000021
【図２１】
0004006692.tif 000022
【図２２】
0004006692.tif 000023
【図２３】
0004006692.tif 000024
【図２４】
0004006692.tif 000025
【図２５】
0004006692.tif 000026
【図２６】
0004006692.tif 000027
【図２７】
0004006692.tif 000028